(57)【要約】【課題】既存のホスト装置に改良を加えることなく、そのホスト装置に接続された電子装置の設定を変更することが可能な電子装置及び設定方法を提供する。【解決手段】ホスト装置に取り外し可能に接続される電子装置であって、前記ホスト装置から入力されるデータファイルを記憶する第１記憶手段と、前記第１記憶手段に新たなデータファイルが記憶される毎に、このデータファイルに自己の電子装置の設定変更を指示する設定指示情報が含まれているか否かを判定する第１判定手段と、前記第１判定手段により前記設定指示情報が前記データファイルに含まれていると判定された場合に、この設定指示情報で指示された設定内容に基づき自己の電子装置の設定を変更する設定変更手段と、を備える。【選択図】図２
2010252047.tif 000002
【特許請求の範囲】
【請求項１】
ホスト装置に取り外し可能に接続される電子装置であって、
前記ホスト装置から入力されるデータファイルを記憶する第１記憶手段と、
前記第１記憶手段に新たなデータファイルが記憶される毎に、このデータファイルに自己の電子装置の設定変更を指示する設定指示情報が含まれているか否かを判定する第１判定手段と、
前記第１判定手段により前記設定指示情報が前記データファイルに含まれていると判定された場合に、この設定指示情報で指示された設定内容に基づき自己の電子装置の設定を変更する設定変更手段と、
を備えたことを特徴とする電子装置。
【請求項２】
前記データファイルは画像ファイルであって、
前記第１判定手段は、前記画像ファイルに自己の電子装置の設定変更を指示する所定のイメージパターンが含まれているか否かを判定し、
前記設定変更手段は、前記第１判定手段により前記イメージパターンが含まれていると判定された場合、このイメージパターンを前記設定指示情報として、当該イメージパターンで指示された設定内容に設定を変更することを特徴とする請求項１に記載の電子装置。
【請求項３】
前記データファイルは音声ファイルであって、
前記第１判定手段は、前記音声ファイルに自己の電子装置の設定変更を指示する所定の音声パターンが含まれているか否かを判定し、
前記設定変更手段は、前記第１判定手段により前記音声パターンが含まれていると判定された場合、この音声パターンを前記設定指示情報として、当該音声パターンで指示された設定内容に設定を変更することを特徴とする請求項１に記載の電子装置。
【請求項４】
前記データファイルはテキストファイルであって、
前記第１判定手段は、前記テキストファイルに自己の電子装置の設定変更を指示する所定の文字列が含まれているか否かを判定し、
前記設定変更手段は、前記第１判定手段により前記文字列が含まれていると判定された場合、この文字列を前記設定指示情報として、当該文字列で指示された設定内容に自己の電子装置の設定を変更することを特徴とする請求項１に記載の電子装置。
【請求項５】
特定のユーザを識別するための識別情報を照合情報として記憶する第２記憶手段と、
前記第１記憶手段に新たなデータファイルが格納される毎に、当該データファイルに前記照合情報と一致する識別情報が含まれているか否かを判定する第２判定手段と、
を更に備え、
前記設定変更手段は、前記第１判定手段により前記設定指示情報が前記データファイルに含まれていると判定され、且つ、前記第２判定手段により前記識別情報と前記照合情報とが一致すると判定された場合に、前記設定指示情報で指示された設定内容に基づき自己の電子装置の設定を変更することを特徴とする請求項１に記載の電子装置。
【請求項６】
外部装置との無線通信を実行する無線通信手段を更に備え、
前記第１記憶手段は、前記無線通信手段を介し前記外部装置から入力されるデータファイルを記憶することを特徴とする請求項１に記載の電子装置。
【請求項７】
ホスト装置に取り外し可能に接続される電子装置で実行される当該電子装置の設定方法あって、
記憶制御手段が、前記ホスト装置から入力されるデータファイルを記憶手段に記憶する記憶制御工程と、
第１判定手段が、前記記憶手段に新たなデータファイルが記憶される毎に、このデータファイルに自己の電子装置の設定変更を指示する設定指示情報が含まれているか否かを判定する判定工程と、
設定変更手段が、前記判定工程で前記設定指示情報が前記データファイルに含まれていると判定された場合に、この設定指示情報で指示された設定内容に基づき自己の電子装置の設定を変更する設定変更工程と、
を含むことを特徴とする設定方法。
【発明の詳細な説明】
【技術分野】
【０００１】
本発明は、ホスト装置に接続される電子装置及び当該電子装置の設定方法に関する。
【背景技術】
【０００２】
撮像レンズにより結像された被写体の被写体像を、ＣＣＤイメージセンサ等の撮像素子によって取り込むデジタルカメラ等の撮像装置が存在している。このような撮像装置では、取得した被写体像を画像ファイルとして当該撮像装置に取り外し可能に接続されるＳＤカード（登録商標）等の記録メディアに記録することが一般に行われている。また近年、記録メディア自体に無線ＬＡＮ機能を付加した電子装置が登場してきており、この電子装置を撮像装置に装着して用いることで、撮像により生成された画像ファイルを自動で外部装置に送信することが可能となっている（非特許文献１参照）。
【先行技術文献】
【非特許文献】
【０００３】
【非特許文献１】“Ｅｙｅ−ｆｉ社”、「ＯＮＬＩＮＥ」、「平成２１年４月１８日検索」、インターネット＜ＵＲＬ：http://www.eye.fi/＞
【発明の概要】
【発明が解決しようとする課題】
【０００４】
しかしながら、上述した非特許文献１の電子装置では、画像ファイルの送信先等の設定をＰＣ（Personal  Computer）等の設定用装置を用いて行う必要があるため、設定変更に係る操作が繁雑となり、利便性に欠けるという問題がある。また、この電子装置は、ホスト装置となる撮像装置とは独立した機器であるため、ホスト装置の操作パネル等を用いて直接設定変更することができず、直接設定変更することを実現するためにはホスト装置に電子装置設定用のインタフェース等を別途設ける必要があった。
【０００５】
本発明は上記に鑑みてなされたものであって、既存のホスト装置に改良を加えることなく、そのホスト装置に接続された電子装置の設定を変更することが可能な電子装置及び設定方法を提供することを目的とする。
【課題を解決するための手段】
【０００６】
上述した課題を解決し、目的を達成するために、本発明は、ホスト装置に取り外し可能に接続される電子装置であって、前記ホスト装置から入力されるデータファイルを記憶する第１記憶手段と、前記第１記憶手段に新たなデータファイルが記憶される毎に、このデータファイルに自己の電子装置の設定変更を指示する設定指示情報が含まれているか否かを判定する第１判定手段と、前記第１判定手段により前記設定指示情報が前記データファイルに含まれていると判定された場合に、この設定指示情報で指示された設定内容に基づき自己の電子装置の設定を変更する設定変更手段と、を備えたことを特徴とする。
【０００７】
また、本発明は、ホスト装置に取り外し可能に接続される電子装置で実行される当該電子装置の設定方法あって、記憶制御手段が、前記ホスト装置から入力されるデータファイルを記憶手段に記憶する記憶制御工程と、第１判定手段が、前記記憶手段に新たなデータファイルが記憶される毎に、このデータファイルに自己の電子装置の設定変更を指示する設定指示情報が含まれているか否かを判定する判定工程と、設定変更手段が、前記判定工程で前記設定指示情報が前記データファイルに含まれていると判定された場合に、この設定指示情報で指示された設定内容に基づき自己の電子装置の設定を変更する設定変更工程と、を含むことを特徴とする。
【発明の効果】
【０００８】
本発明によれば、既存のホスト装置に改良を加えることなく、そのホスト装置に接続された電子装置の設定を変更することができる。
【図面の簡単な説明】
【０００９】
【図１】図１は、本発明の一実施形態に係る電子装置を利用したホスト装置を示す図である。
【図２】図２は、第１の実施形態に係るカード型無線通信装置の構成例を示す図である。
【図３】図３は、図２に示した制御部の具体的な構成例を示す図である。
【図４】図４は、ホスト装置の一例として、撮像装置の構成例を示すブロック図である。
【図５】図５は、図３に示した認識部の動作の手順を示すフローチャートである。
【図６】図６は、第２の実施形態に係るカード型無線通信装置が備える制御部の具体的な構成例を示す図である。
【図７】図７は、ホスト装置の一例として、録音装置の構成例を示すブロック図である。
【図８】図８は、図６に示した認識部の動作の手順を示すフローチャートである。
【図９】図９は、第３の実施形態に係るカード型無線通信装置が備える制御部の具体的な構成例を示す図である。
【図１０】図１０は、ホスト装置の一例として、文字入力装置の構成例を示すブロック図である。
【図１１】図１１は、図９に示した認識部の動作の手順を示すフローチャートである。
【図１２】図１２は、第４の実施形態に係るカード型無線通信装置が備える制御部の具体的な構成例を示す図である。
【図１３】図１３は、図１２に示した認識部の動作の手順を示すフローチャートである。
【発明を実施するための形態】
【００１０】
以下、添付図面を参照して、本発明にかかる電子装置及び当該電子装置の設定方法の最良な実施形態を詳細に説明する。なお、本発明は以下の実施形態に限定されないものとする。
【００１１】
［第１の実施形態］
図１は、本発明の一実施形態に係る電子装置を利用したホスト装置５を示す図である。本実施形態において、電子装置はカード型無線通信装置１として実現されており、ホスト装置５と着脱自在に接続される。
【００１２】
カード型無線通信装置１は、ＳＤカード（登録商標）のような小型のカードデバイスから構成されており、外部装置との間で無線通信を行う無線通信機能を有している。カード型無線通信装置１が装着されたホスト装置５では、このカード型無線通信装置１を介して外部の装置（以下、外部装置という）に無線接続することで、外部装置との間でデータの授受を行うことができる。
【００１３】
また、カード型無線通信装置１は、不揮発性の記憶媒体（後述する記憶部１１）を有し、この記憶媒体を所定のファイルシステムに基づいて管理している。ホスト装置５では、装着されたカード型無線通信装置１のファイルシステムを認識することで、カード型無線通信装置１を記憶装置、例えばリムーバブルストレージデバイスとして取り扱うことが可能である。すなわち、カード型無線通信装置１は、接続されるホスト装置５に対し、外部装置と無線接続可能なネットワーク端末としての機能とともに、データを格納するストレージとしての機能を提供する。
【００１４】
図２は、第１の実施形態に係るカード型無線通信装置１の構成例を示す図である。同図に示すように、カード型無線通信装置１は、記憶部１１、無線通信部１２、ホストＩ／Ｆ部１３、制御部１４等を備えている。
【００１５】
記憶部１１は、フラッシュＥＥＰＲＯＭ等の不揮発性の記憶媒体であり、各種のデータファイルを格納することができる。この記憶部１１はカード型無線通信装置１の記憶媒体として使用される。記憶部１１に格納されるデータファイルはＦＡＴ（ファイルアロケーションテーブル）等のホスト装置５で認識可能な所定のファイルシステムによって管理されている。
【００１６】
記憶部１１に格納されたデータファイルを管理するためのファイル管理情報（ファイルシステム情報と称されることもある）は、記憶部１１内に格納されている。すなわち、記憶部１１は、データファイルを格納するための記憶領域であるデータ格納領域と、このデータ格納領域に格納されたデータファイルを管理するファイル管理情報を格納するための記憶領域であるファイル管理情報格納領域と、を有している。
【００１７】
ファイル管理情報は、データ格納領域に格納された各データファイルに対応するディレクトリ・エントリ情報と、各データファイルの格納位置を示すファイルアロケーションテーブル（ＦＡＴ）情報とを含んでいる。なお、ディレクトリ・エントリ情報は、対応するデータファイルのファイル名、属性、作成日時、ファイルサイズ、当該データファイルの先頭クラスタ番号等の情報を含んでいる。また、ファイルアロケーションテーブル情報は、各データファイルの記憶部１１上での格納位置を所定のデータサイズ単位（データブロック単位）で管理するための情報を含んでいる。ホスト装置５では、カード型無線通信装置１のファイル管理情報を参照することにより、記憶部１１（データ格納領域）に格納されている各データファイルをアクセスすることが可能である。
【００１８】
また、上記データ格納領域には、自己の装置の動作や機能を制御するためのプログラムや設定情報が格納されており、制御部１４の制御の下、この設定情報に規定された設定内容に従って動作するよう構成されている。なお、設定情報に規定される設定内容は、カード型無線通信装置１に係るものであれば特に問わないものとする。例えば、カード型無線通信装置１の接続先となる外部装置のアドレスや、記憶部１１に対する外部装置のアクセスの可否（ファイル共有設定）、ホスト装置５や外部装置との間で授受可能なファイルタイプ等が挙げられる。
【００１９】
無線通信部１２は、アンテナ１２１を用いて外部装置との間で無線通信を確立する無線通信装置である。無線通信部１２は、例えば、ＩＥＥＥ．８０１規格に従って外部装置との無線通信を実行する。
【００２０】
ホストＩ／Ｆ部１３は、カード型無線通信装置１とホスト装置５との間で有線通信路を連結するために用いられるインタフェース装置である。カード型無線通信装置１がホスト装置５に装着された状態において、ホストＩ／Ｆ部１３はホスト装置５に電気的及び物理的に接続される。ホストＩ／Ｆ部１３は、ホスト装置５との通信を実行して、ホスト装置５から送信される各種コマンドや各種データファイルの受信、及びホスト装置５への各種データファイルの送信等を実行する。
【００２１】
また、ホストＩ／Ｆ部１３は、ホスト装置５からの書き込みコマンドを制御部１４に通知し、新たなファイルの書き込みが記憶部１１に行われたことを検知すると、このファイルの書き込みが完了したことを指示する指示情報を、後述する認識部１４３に出力する。なお、ホスト装置からホストＩ／Ｆ部１３に送信される書き込みコマンドは、ファイルの格納を指示するものだけではなく、セクタ書き込みのような物理デバイスへのアクセスコマンドの場合もある。そのため、ホストＩ／Ｆ部１３は、ホスト装置５から送信されたコマンドを解析し、ファイルの書き込み指示が行われた場合にのみ、認識部１４３への指示を行うよう制御する。
【００２２】
制御部１４は、ホストＩ／Ｆ部１３を介して受信したホスト装置５からのコマンドに応じて、記憶部１１に対するリード／ライトアクセス等を実行する。以下、図３を参照して、制御部１４を構成する各機能部について説明する。
【００２３】
図３は、図２に示した制御部１４の具体的な構成例を示す図である。同図に示したように、制御部１４は、記憶制御部１４１、排他制御部１４２、認識部１４３、接続管理部１４４等の機能部により構成される。なお、これらの各機能部は、プロセッサ等のハードウェアにより夫々実現される形態としてもよいし、マイクロプロセッサと記憶部１１等に記憶された所定のプログラムとの協働により実現される形態としてもよい。
【００２４】
記憶制御部１４１は、ホストＩ／Ｆ部１３及び排他制御部１４２を介して入力されるホスト装置からのコマンドに応じて、記憶部１１へのデータファイルの書き込み（ライトアクセス）や記憶部１１からのデータファイルの読み出し（リードアクセス）を実行する。また、記憶制御部１４１は、アンテナ１２１及び無線通信部１２を介して入力される外部装置からのコマンドに応じて、記憶部１１へのデータファイルの書き込み（ライトアクセス）や記憶部１１からのデータファイルの読み出し（リードアクセス）を実行する。
【００２５】
排他制御部１４２は、認識部１４３による後述する設定情報の認識処理の間、記憶部１１への新たなデータファイルの書き込みが行われないよう排他制御を実行する。なお、ホストＩ／Ｆ部１３、認識部１４３及び接続管理部１４４は、この排他制御部１４２を介して記憶制御部１４１にアクセスを行うよう構成されている。
【００２６】
認識部１４３は、記憶部１１に新たなデータファイルが格納される毎に、このデータファイルにカード型無線通信装置１の設定変更を指示する設定指示情報が含まれているか否かを判定し、設定指示情報がデータファイルに含まれていると判定した場合に、この設定指示情報で指示された設定内容に基づいて、カード型無線通信装置１の設定を変更する。
【００２７】
具体的に、認識部１４３は、図３に示すようにイメージパターン判定部１４３１と、設定変更部１４３２とを有している。イメージパターン判定部１４３１は、ホストＩ／Ｆ部１３から書き込み完了の指示を受け付ける毎に、記憶部１１に新たに記憶されたデータファイルのファイル種別を判別し、このデータファイルが画像ファイルか否かを判定する。ここで、ファイル種別の判別は、例えば、ファイル名の拡張子やファイルのヘッダ部に付帯された付帯情報等に基づいて行うものとする。
【００２８】
イメージパターン判定部１４３１は、記憶部１１に記憶されたデータファイルが画像ファイルと判定すると、この画像ファイルに表された画像を認識（解析）し、カード型無線通信装置１の設定変更を指示する所定のイメージパターンが含まれているか否かを判定する。
【００２９】
ここで、イメージパターンとは、画像として表された模様、色彩、文字列又はこれらの組み合わせであって、イメージパターン判定部１４３１が認識可能なものであれば、その形態は特に問わないものとする。例えば、カード型無線通信装置１の設定項目毎の有効／無効がマークシート形式で表された「ドットパターン」であってもよいし、手書き／活字による文字列の「文字パターン」であってもよい。また、バーコードや二次元コード等の「コードパターン」であってもよい。なお、イメージパターンがカード型無線通信装置１の設定変更を指示するものか否かの判定は、記憶部１１や図示しない記憶装置に予め記憶された、設定変更用の雛形となるイメージパターン(テンプレート)と比較することで行われるものとする。
【００３０】
設定変更部１４３２は、イメージパターン判定部１４３１の判定結果に基づき、カード型無線通信装置１の設定変更を指示するものと判定されたイメージパターンを設定指示情報とし、このイメージパターンで指示された設定内容に基づいて、記憶部１１に記憶されたカード型無線通信装置１の設定情報を変更する。
【００３１】
ここで、設定指示情報として指示される設定内容は、カード型無線通信装置１に係るものであれば特に問わないものとする。例えば、無線通信部１２が接続する外部装置のアドレスや、記憶部１１に対する外部装置のアクセスの可否、ホスト装置５や外部装置との間で授受可能なファイル種別等が挙げられる。
【００３２】
接続管理部１４４は、記憶部１１に記憶された設定情報に基づいて、無線通信部１２を用いて接続を行う外部装置を管理する。具体的に、接続管理部１４４は、設定情報に外部装置にアドレスが記述されていた場合には、このアドレスの外部装置と接続するよう無線通信部１２を制御する。また、記憶部１１に対する外部装置のアクセス可否に基づいて、記憶部１１へのアクセス制御を実行する。また、授受可能なファイルタイプが設定されていた場合には、設定されたファイルタイプのみが外部装置との間で授受されるようフィルタリング処理を実行する。
【００３３】
次に、本実施形態のカード型無線通信装置１に好適なホスト装置５について説明する。図４は、ホスト装置５の一例として、デジタルカメラやビデオカメラ等の撮像装置５１の構成例を示すブロック図である。
【００３４】
図４に示すように、撮像装置５１は、光学ユニット５１１、駆動部５１２、撮像部５１３、画像処理部５１４、制御部５１５、ビデオエンコーダ５１６、表示部５１７、操作入力部５１８、デバイス接続Ｉ／Ｆ部５１９等を含む。
【００３５】
光学ユニット５１１は、撮像レンズや絞り、シャッター等の光学機器（何れも図示せず）を有し、被写体の像（被写体像）を撮像部５１３の撮像素子面に結像させる。駆動部５１２は、光学ユニット５１１を構成する撮像レンズや絞り、シャッターに制御信号を出力して光学ユニット５１１を駆動する。
【００３６】
撮像部５１３は、ＣＣＤ（Charge  Coupled  Device）やＣＭＯＳ（Complementary  Metal  Oxide  Semiconductor）等の撮像素子を有して構成され、光学ユニット５１１を通して入射する被写体像をフレーム単位で光電変換し、アナログ電気信号を出力する。この撮像部５１３から出力されたアナログ電気信号は、図示しないＡ／Ｄ変換器によりデジタル電気信号に変換されて、画像データとして出力される。
【００３７】
画像処理部５１４は、撮像部５１３で取得された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint  Photographic  Experts  Group）方式等に基づく画像データの圧縮処理や伸張処理を行う。この画像処理部５１４で画像処理された画像データは、デバイス接続Ｉ／Ｆ部５１９を介してカード型無線通信装置１の記憶部１１に画像ファイルとして記憶、又はビデオエンコーダ５１６に出力されて表示部５１７に表示される。
【００３８】
制御部５１５は、ＣＰＵ、ＲＯＭ及びＲＡＭ等から構成され、操作入力部５１８からの操作信号等に応じてＲＯＭから所定のプログラムを読み出して実行し、撮像装置５１を構成する各部に対するコマンドやデータの転送等を行って撮像装置５１の動作を統括的に制御する。
【００３９】
ビデオエンコーダ５１６は、表示用に変換された画像データを表示部５１７に送出して表示させる。例えば撮影モードでは、１フレーム毎に撮像部５１３から取り込まれて画像処理部５１４によって画像処理された画像をフレーム単位で表示部５１７に切換表示させ、ライブビュー画像の表示を行う。一方、再生モードでは、カード型無線通信装置１から読み出され、画像処理部５１４によって画像処理された画像データを表示部５１７に表示させる。
【００４０】
表示部５１７は、画像データの他、撮像装置５１の各種設定情報等を表示するためのものであり、ＬＣＤ（Liquid  Crystal  Display）やＥＬディスプレイ（Electroluminescence  Display）等の表示装置で実現される。
【００４１】
操作入力部５１８は、撮影の開始指示、撮影モードや再生モードといったモードの設定操作、撮影条件の設定操作等、ユーザによる各種操作を受け付けて操作信号を制御部５１５に通知するためのものであり、各種機能が割り当てられたボタンスイッチ等で実現される。
【００４２】
デバイス接続Ｉ／Ｆ部５１９は、撮像装置５１に装着されたカード型無線通信装置１との通信を実行して、制御部５１５から入力されるコマンドやデータの送信、及びカード型無線通信装置１から送信されるデータの受信等を実行する。
【００４３】
撮像装置５１を操作するユーザは、カード型無線通信装置１の機能や動作についての設定を変更する際、その設定内容を撮像装置５１の撮像機能を用いて指示する。具体的に、撮像装置５１を操作するユーザは、所望するカード型無線通信装置１の設定内容を表したイメージパターンを、所定のテンプレートに準じた形式で紙等の媒体上に作成し、当該媒体をカード型無線通信装置１が装着された撮像装置５１で撮影する。この操作により、カード型無線通信装置１の設定内容を指示したイメージパターンが画像ファイルとしてカード型無線通信装置１に格納され、上述した認識部１４３の制御により、イメージパターンを用いて指示した設定内容が、カード型無線通信装置１の設定情報に反映される。
【００４４】
以下、図５を参照して、カード型無線通信装置１の設定変更に係る動作について説明する。ここで、図５は、認識部１４３の動作の手順を示すフローチャートである。
【００４５】
まず、イメージパターン判定部１４３１は、ホストＩ／Ｆ部１３から書き込み完了の指示が入力されるまで待機を行う（ステップＳ１１；Ｎｏ）。ここで、書き込み完了の指示を受け付けると（ステップＳ１１；Ｙｅｓ）、イメージパターン判定部１４３１は記憶部１１に新たに書き込まれたデータファイルのファイル種別を判別し、このデータファイルが画像ファイルであるか否かを判定する（ステップＳ１２）。
【００４６】
ステップＳ１２において、画像ファイル以外と判定した場合（ステップＳ１２；Ｎｏ）、イメージパターン判定部１４３１はステップＳ１１の処理に再び戻る。また、ステップＳ１２において、画像ファイルと判定した場合（ステップＳ１２；Ｙｅｓ）、イメージパターン判定部１４３１は、画像ファイルが表す画像を認識(解析)する（ステップＳ１３）。
【００４７】
次いで、イメージパターン判定部１４３１は、ステップＳ１３の処理結果に基づき、画像ファイルにカード型無線通信装置１の設定変更を指示する所定のイメージパターンが含まれているか否かを判定する（ステップＳ１４）。ここで、カード型無線通信装置１の設定内容を指示する所定のイメージパターンが確認されない場合（ステップＳ１４；Ｎｏ）、イメージパターン判定部１４３１はステップＳ１１の処理に再び戻る。
【００４８】
一方、ステップＳ１４において、イメージパターン判定部１４３１によりカード型無線通信装置１の設定内容を指示する所定のイメージパターンが確認された場合（ステップＳ１４；Ｙｅｓ）、設定変更部１４３２は、このイメージパターンを設定指示情報とし、当該イメージパターンが指示する設定内容に基づいて、記憶部１１に記憶されたカード型無線通信装置１の設定情報を変更し（ステップＳ１５）、ステップＳ１１に再び戻る。
【００４９】
以上のように、本実施形態によれば、ホスト装置５の撮像機能を用いて生成したカード型無線通信装置１の設定内容を表す画像ファイルを、カード型無線通信装置１が内蔵する記憶部１１に格納することで、カード型無線通信装置１の設定を所望の設定内容に変更することができる。すなわち、既存のホスト装置５に改良を加えることなく、そのホスト装置５に接続されたカード型無線通信装置１の設定を変更することができる。
【００５０】
なお、本実施形態では、撮像装置５１で生成されるデータファイル（画像ファイル）を認識部１４３の処理対象としたが、これに限らず、無線通信部１２を介して外部装置から入力されるデータファイル（画像ファイル）に対しても同様の処理を行う形態としてもよい。
【００５１】
また、本実施形態では、認識部１４３はホストＩ／Ｆ部１３から指示される書き込み完了の指示をトリガとして動作する形態としたが、これに限らず、記憶部１１のファイルシステムを監視し、更新があったデータファイルについて、上記の処理を行う形態としてもよい。
【００５２】
また、本実施形態では、認識部１４３は記憶部１１に格納された全ての画像ファイルに、イメージパターンの認識処理（ステップＳ１３、Ｓ１４）を行う施す形態としたが、これに限らず、例えば、認識処理を施す前に、イメージサイズや解像度等が所定の条件を満たすか否かを判定し、この条件を満たした画像ファイルにのみ認識処理を施す形態としてもよい。これにより、認識処理の軽減化を図ることができる。
【００５３】
［第２の実施形態］
以下、第２の実施形態について説明する。上記した第１の実施形態では記憶部１１に記憶されるデータファイルのうち、画像ファイルを用いて設定変更を行う形態について説明したが、他のファイル種別についても適用可能である。そこで、第２の実施形態では、音声ファイルを用いて設定変更を行う形態について説明する。なお、第１の実施形態と同様の要素については、同じ符号を用いて表し、その説明を省略する。
【００５４】
図６は、第２の実施形態に係るカード型無線通信装置２が備える制御部２１の具体的な構成例を示す図である。同図に示すように、制御部２１は、記憶制御部１４１、排他制御部１４２、認識部２１１、接続管理部１４４等を有している。なお、これらの各機能部は、プロセッサ等のハードウェアにより夫々実現される形態としてもよいし、プロセッサと記憶部１１等に記憶された所定のプログラム（ソフトウェア）との協働により実現される形態としてもよい。
【００５５】
認識部２１１は、記憶部１１に新たなデータファイルが格納される毎に、このデータファイルにカード型無線通信装置２の設定変更を指示する設定指示情報が含まれているか否かを判定し、設定指示情報がデータファイルに含まれていると判定した場合に、この設定指示情報で指示された設定内容に基づいて、カード型無線通信装置２の設定を変更する。
【００５６】
具体的に、認識部２１１は、図６に示すように音声パターン判定部２１１１と、設定変更部２１１２とを有する。音声パターン判定部２１１１は、ホストＩ／Ｆ部１３から書き込み完了の指示を受け付ける毎に、記憶部１１に新たに記憶されたデータファイルのファイル種別を判別し、このデータファイルが音声ファイルか否かを判定する。音声パターン判定部２１１１は、記憶部１１に記憶されたデータファイルが音声ファイルと判定すると、この音声ファイルが表す音声パターンを認識（解析）し、当該音声パターンがカード型無線通信装置２の設定内容を指示するものか否かを判定する。
【００５７】
ここで、音声パターンとは、ホスト装置５を操作するユーザにより発話された設定内容であって、音声パターン判定部２１１１が認識可能なものであればその言語は特に問わないものとする。なお、音声パターンがカード型無線通信装置２の設定変更を指示するものか否かの判定は、記憶部１１や図示しない記憶装置に予め記憶された、設定変更用の雛形となる音声パターン(テンプレート)と比較することで行われるものとする。また、音声パターンの認識については、公知・公用の音声認識技術を用いるものとする。
【００５８】
設定変更部２１１２は、音声パターン判定部２１１１の判定結果に基づき、カード型無線通信装置２の設定変更を指示するものと判定された音声パターンを設定指示情報とし、この音声パターンで指示された設定内容に基づいて、記憶部１１に記憶されたカード型無線通信装置２の設定情報を変更する。
【００５９】
次に、本実施形態のカード型無線通信装置２に好適なホスト装置５について説明する。図７は、ホスト装置５の一例として、ＩＣレコーダや携帯音楽プレーヤ等の録音装置５２の構成例を示すブロック図である。
【００６０】
図７に示すように、録音装置５２は、マイクロフォン５２１、Ａ／Ｄ変換部５２２、信号処理部５２３、制御部５２４、デバイス接続Ｉ／Ｆ部５２５、表示部５２６、操作入力部５２７、Ｄ／Ａ変換部５２８、スピーカ５２９等を備える。
【００６１】
マイクロフォン５２１は、音声を電気信号に変換し、Ａ／Ｄ変換部５２２に出力する。Ａ／Ｄ変換部５２２は、プリアンプやローパスフィルタ、Ａ／Ｄ変換器等から構成され、マイクロフォン５２１から入力される電気信号を、デジタル信号に変換する。信号処理部５２３は、Ａ／Ｄ変換部５２２でＡ／Ｄ変換されたデジタル信号の符号化及び復号化を行う。
【００６２】
制御部５２４は、ＣＰＵ、ＲＯＭ及びＲＡＭ等から構成され、操作入力部５２７からの操作信号等に応じてＲＯＭからプログラムを読み出して実行することで、録音装置５２の動作を統括的に制御する。
【００６３】
具体的に、制御部５２４は、信号処理部５２３で符号化されたデジタル信号を、音声ファイルとして書き込みコマンドとともにデバイス接続Ｉ／Ｆ部５２５に出力することで、このデバイス接続Ｉ／Ｆ部５２５に接続されたカード型無線通信装置２に音声ファイルを格納する。また、制御部５２４は、操作入力部５２７からの通知内容に応じ、デバイス接続Ｉ／Ｆ部５２５に音声ファイルの読み込みコマンドを出力することで、このデバイス接続Ｉ／Ｆ部５２５に接続されたカード型無線通信装置２から音声ファイルを読み込む。
【００６４】
デバイス接続Ｉ／Ｆ部５２５は、録音装置５２に装着されたカード型無線通信装置２との通信を実行して、制御部５２４から入力される各種コマンドや各種データファイルの送信、及びカード型無線通信装置２から送信されるデータファイルの受信等を実行する。
【００６５】
表示部５２６は、録音装置５２の動作状態や録音内容に関連した情報を表示するためのものであり、ＬＣＤやＥＬディスプレイ等の表示装置で実現される。操作入力部５２７は、ユーザによる各種操作を受け付けて操作信号を制御部５２４に通知するためのものであり、各種機能が割り当てられたボタンスイッチ等で実現される。
【００６６】
Ｄ／Ａ変換部５２８は、Ｄ／Ａ変換器やローパスフィルタ、パワーアンプ等から構成され、制御部５２４によりカード型無線通信装置２から読み込まれ、信号処理部５２３により信号処理された音声ファイルを、アナログの電気信号に変換する。スピーカ５２９は、Ｄ／Ａ変換部５２８で処理された電気信号を音声に変換する。
【００６７】
録音装置５２を操作するユーザは、カード型無線通信装置２の機能や動作についての設定を変更する際、その設定内容を録音装置５２の録音機能を用いて指示する。具体的に、録音装置５２を操作するユーザは、所望するカード型無線通信装置２の設定内容を所定のテンプレートに準じた形式で発話し、この音声をカード型無線通信装置２が装着された録音装置５２で録音する。この操作により、カード型無線通信装置２の設定内容を指示した音声パターンが音声ファイルとしてカード型無線通信装置２に格納され、上述した認識部２１１の制御により、その設定内容がカード型無線通信装置２の設定情報に反映される。
【００６８】
以下、図８を参照して、カード型無線通信装置２の設定変更に係る動作について説明する。ここで、図８は、認識部２１１の動作の手順を示すフローチャートである。
【００６９】
まず、音声パターン判定部２１１１は、ホストＩ／Ｆ部１３から書き込み完了の指示が入力されるまで待機を行う（ステップＳ２１；Ｎｏ）。ここで、書き込み完了の指示を受け付けと（ステップＳ２１；Ｙｅｓ）、音声パターン判定部２１１１は記憶部１１に新たに書き込まれたデータファイルのファイル種別を判別し、このデータファイルが音声ファイルであるか否かを判定する（ステップＳ２２）。
【００７０】
ステップＳ２２において、音声ファイル以外と判定した場合（ステップＳ２２；Ｎｏ）、音声パターン判定部２１１１はステップＳ２１の処理に再び戻る。また、ステップＳ２２において、音声ファイルと判定した場合（ステップＳ２２；Ｙｅｓ）、音声パターン判定部２１１１は、この音声ファイルが表す音声を認識（解析）する（ステップＳ２３）。
【００７１】
次いで、音声パターン判定部２１１１は、ステップＳ２３の処理結果に基づき、音声ファイルにカード型無線通信装置２の設定内容を指示する音声パターンが含まれるか否かを判定する（ステップＳ２４）。ここで、カード型無線通信装置２の設定内容を指示するものでないと判定した場合（ステップＳ２４；Ｎｏ）、音声パターン判定部２１１１はステップＳ２１の処理に再び戻る。
【００７２】
一方、ステップＳ２４において、音声パターン判定部２１１１によりカード型無線通信装置２の設定内容を指示する音声パターンが確認された場合（ステップＳ２４；Ｙｅｓ）、設定変更部２１１２は、この音声パターンを設定指示情報とし、当該音声パターンで指示された設定内容に基づいて、記憶部１１に記憶された設定情報を変更し（ステップＳ２５）、ステップＳ２１に再び戻る。
【００７３】
以上のように、本実施形態によれば、ホスト装置５の録音機能を用いて生成したカード型無線通信装置２の設定内容を表す音声ファイルを、カード型無線通信装置２が内蔵する記憶部１１に格納することで、カード型無線通信装置２の設定を所望の設定内容に変更することができる。すなわち、既存のホスト装置５に改良を加えることなく、そのホスト装置５に接続されたカード型無線通信装置２の設定を変更することができる。
【００７４】
なお、本実施形態では、録音装置５２で生成されるデータファイル（音声ファイル）を認識部２１１の処理対象としたが、これに限らず、無線通信部１２を介して外部装置から入力されるデータファイル（音声ファイル）に対しても同様の処理を行う形態としてもよい。
【００７５】
また、本実施形態では、認識部２１１はホストＩ／Ｆ部１３から指示される書き込み完了の指示をトリガとして動作する形態としたが、これに限らず、記憶部１１のファイルシステムを監視し、更新があったデータファイルについて、上記の処理を行う形態としてもよい。
【００７６】
また、本実施形態では、認識部２１１は記憶部１１に格納された全ての音声ファイルに、音声パターンの認識処理（ステップＳ２３、Ｓ２４）を行う施す形態としたが、これに限らず、例えば、認識処理を施す前に、データサイズやサンプリング周波数等が所定の条件を満たすか否かを判定し、この条件を満たした音声ファイルにのみ認識処理を施す形態としてもよい。これにより、認識処理の軽減化を図ることができる。
【００７７】
［第３の実施形態］
次に、第３の実施形態について説明する。この第３の実施形態では、テキストファイルを用いて設定変更を行う形態について説明する。なお、第１の実施形態と同様の要素については、同じ符号を用いて表し、その説明を省略する。
【００７８】
図９は、第３の実施形態に係るカード型無線通信装置３が備える制御部３１の具体的な構成例を示す図である。同図に示すように、制御部３１は、記憶制御部１４１、排他制御部１４２、認識部３１１、接続管理部１４４等を有している。なお、これらの各機能部は、プロセッサ等のハードウェアにより夫々実現される形態としてもよいし、プロセッサと記憶部１１等に記憶された所定のプログラム（ソフトウェア）との協働により実現される形態としてもよい。
【００７９】
認識部３１１は、記憶部１１に新たなデータファイルが格納される毎に、このデータファイルにカード型無線通信装置３の設定変更を指示する設定指示情報が含まれているか否かを判定し、設定指示情報がデータファイルに含まれていると判定した場合に、この設定指示情報で指示された設定内容に基づいて、カード型無線通信装置３の設定を変更する。
【００８０】
具体的に、認識部３１１は、図９に示すように文字列判定部３１１１と、設定変更部３１１２とを有する。文字列判定部３１１１は、ホストＩ／Ｆ部１３から書き込み完了の指示を受け付ける毎に、記憶部１１に新たに記憶されたデータファイルのファイル種別を判別し、このデータファイルがテキストファイルか否かを判定する。ここで、ファイル種別の判別は、例えば、ファイル名の拡張子やファイルのヘッダ部に付帯された付帯情報等に基づいて行うものとする。
【００８１】
また、文字列判定部３１１１は、記憶部１１に記憶されたデータファイルをテキストファイルと判定した場合、このテキストファイルに含まれた文字列を認識（解析）し、当該文字列がカード型無線通信装置３の設定変更を指示するものか否かを判定する。
【００８２】
ここで、テキストファイルとは、ユーザによりされた文字列が文字データ（文字コード）で表されたものである。なお、文字列がカード型無線通信装置３の設定変更を指示するものか否かの判定は、記憶部１１や図示しない記憶装置に予め記憶された、設定変更用の雛形となる文字列（テンプレート）と比較することで行われるものとする。また、文字列の認識については、形態素解析等の公知・公用の文字認識技術を用いるものとする。
【００８３】
設定変更部３１１２は、文字列判定部３１１１の判定結果に基づき、カード型無線通信装置３の設定変更を指示するものと判定された文字列を設定指示情報とし、この文字列で指示された設定内容に基づいて、記憶部１１に記憶されたカード型無線通信装置３の設定情報を変更する。
【００８４】
次に、本実施形態のカード型無線通信装置３に好適なホスト装置５について説明する。図１０は、ホスト装置５の一例として、テキストファイルを生成可能な携帯電話機等の文字入力装置５３の構成例を示すブロック図である。
【００８５】
図１０に示すように、文字入力装置５３は、装置全体の制御を行う制御部５３１と、表示部５３２と、操作入力部５３３と、エディタ部５３４と、デバイス接続Ｉ／Ｆ部５３５とを備える。
【００８６】
制御部５３１は、ＣＰＵ、ＲＯＭ及びＲＡＭ等から構成され、操作入力部５３３からの操作信号等に応じてＲＯＭからプログラムを読み出して実行することで、文字入力装置５３の動作を統括的に制御する。
【００８７】
表示部５３２は、制御部５３１に制御されることで、文字、数字及び画像の表示動作を行う。操作入力部５３３は、キーボード等の入力デバイスを有し、ユーザからのキー操作に応じて、操作されたキーの識別子を制御部５３１に通知する。なお、操作入力部５３３を介して入力された文字列は、表示部５３２の表示画面に表示される。
【００８８】
エディタ部５３４は、制御部５３１と所定のプログラムとの協働により実現される機能部である。エディタ部５３４は、操作入力部５３３を介して入力された文字を受信し、これら文字列を表したテキストファイルを生成する。また、エディタ部５３４は、生成したテキストファイルを書き込みコマンドとともにデバイス接続Ｉ／Ｆ部５３５に出力することで、このデバイス接続Ｉ／Ｆ部５３５に接続されたカード型無線通信装置３にテキストファイルを格納する。
【００８９】
文字入力装置５３を操作するユーザは、カード型無線通信装置３の設定を変更する際、その設定内容を文字入力装置５３のテキストファイル生成機能を用いて指示する。具体的に、文字入力装置５３を操作するユーザは、所望するカード型無線通信装置３の設定内容を表す文字列を所定のテンプレートに準じた形式で操作入力部５３３を介して入力する。この操作により、カード型無線通信装置３の設定内容を指示したテキストファイルがカード型無線通信装置３に格納され、上述した認識部３１１の制御により、その設定内容がカード型無線通信装置３の設定情報に反映される。
【００９０】
以下、図１１を参照して、カード型無線通信装置３の設定変更に係る動作について説明する。ここで、図１１は、認識部３１１の動作の手順を示すフローチャートである。
【００９１】
まず、文字列判定部３１１１は、ホストＩ／Ｆ部１３から書き込み完了の指示が入力されるまで待機を行う（ステップＳ３１；Ｎｏ）。ここで、書き込み完了の指示を受け付けと（ステップＳ３１；Ｙｅｓ）、文字列判定部３１１１は記憶部１１に新たに書き込まれたデータファイルのファイル種別を判別し、このデータファイルがテキストファイルであるか否かを判定する（ステップＳ３２）。
【００９２】
ステップＳ３２において、テキストファイル以外と判定した場合（ステップＳ３２；Ｎｏ）、文字列判定部３１１１はステップＳ３１の処理に再び戻る。また、ステップＳ３２において、テキストファイルと判定した場合（ステップＳ３２；Ｙｅｓ）、文字列判定部３１１１は、テキストファイルに含まれた文字列を認識（解析）し（ステップＳ３３）、この文字列がカード型無線通信装置３の設定内容を指示するものか否かを判定する（ステップＳ３４）。
【００９３】
ステップＳ３４において、カード型無線通信装置３の設定内容を指示するものでないと判定した場合（ステップＳ３４；Ｎｏ）、文字列判定部３１１１はステップＳ３１の処理に再び戻る。一方、ステップＳ３４において、文字列判定部３１１１によりカード型無線通信装置３の設定内容を指示する文字列が確認された場合（ステップＳ３４；Ｙｅｓ）、設定変更部３１１２は、この文字列を設定指示情報とし、当該文字列で指示された設定内容に基づいて、記憶部１１に記憶された設定情報を更新し（ステップＳ３５）、ステップＳ３１に再び戻る。
【００９４】
以上のように、本実施形態によれば、ホスト装置５のエディタ機能を用いて生成したカード型無線通信装置３の設定内容を表すテキストファイルを、カード型無線通信装置３が内蔵する記憶部１１に格納することで、カード型無線通信装置３の設定を所望の設定内容に変更することができる。すなわち、既存のホスト装置５に改良を加えることなく、そのホスト装置５に接続されたカード型無線通信装置３の設定を変更することができる。
【００９５】
なお、本実施形態では、文字入力装置５３で生成されるデータファイル（テキストファイル）を認識部３１１の処理対象としたが、これに限らず、無線通信部１２を介して外部装置から入力されるデータファイル（テキストファイル）に対しても同様の処理を行う形態としてもよい。
【００９６】
また、本実施形態では、認識部３１１はホストＩ／Ｆ部１３から指示される書き込み完了の指示をトリガとして動作する形態としたが、これに限らず、記憶部１１のファイルシステムを監視し、更新があったデータファイルについて、上記の処理を行う形態としてもよい。
【００９７】
また、本実施形態では、認識部３１１は記憶部１１に格納された全てのテキストファイルに、文字列の認識処理（ステップＳ３３、Ｓ３４）を行う施す形態としたが、これに限らず、例えば、認識処理を施す前に、データサイズ等が所定の条件を満たすか否かを判定し、この条件を満たしたテキストファイルにのみ認識処理を施す形態としてもよい。これにより、認識処理の軽減化を図ることができる。
【００９８】
［第４の実施形態］
次に、第４の実施形態について説明する。本実施形態では、カード型無線通信装置の設定を変更する際のセキュリティを向上させた構成について説明する。なお、上述した第１の実施形態と同様の要素については、同じ符号を付与し説明を省略する。
【００９９】
図１２は、第４の実施形態に係るカード型無線通信装置４が備える制御部４１の具体的な構成例を示す図である。同図に示したように、制御部４１は、記憶制御部１４１、排他制御部１４２、認識部４１１、接続管理部１４４等を有している。なお、これらの各機能部は、プロセッサ等のハードウェアにより夫々実現される形態としてもよいし、プロセッサと記憶部１１等に記憶された所定のプログラムとの協働により実現される形態としてもよい。
【０１００】
認識部４１１は、上述した認識部１４３の機能を備えるとともに、記憶部１１に新たなデータファイルが格納される毎に、当該データファイルにホスト装置５を操作するユーザの識別情報が含まれるか否かを判定するとともに、この識別情報が照合情報と一致するか否かを判定する。また、認識部４１１は、設定指示情報がデータファイルに含まれおり、且つ、このデータファイルに含まれた識別情報と照合情報とが一致する場合に、設定指示情報で指示された設定内容に基づき自己の電子装置の設定を変更する。
【０１０１】
具体的に、認識部４１１は、図１２に示すようにイメージパターン判定部４１１１と、設定変更部４１１２とを有する。
【０１０２】
イメージパターン判定部４１１１は、ホストＩ／Ｆ部１３から書き込み完了の指示を受け付けると、記憶部１１に新たに記憶されたデータファイルのファイル種別を判別し、このデータファイルが画像ファイルか否かを判定する。画像ファイルであった場合、イメージパターン判定部４１１１は、この画像ファイルにユーザを識別するための識別情報が含まれているか否かを判定する。ここで、識別情報は、カード型無線通信装置４の設定変更を行うユーザを識別するための情報であって、例えば、ユーザのサインや印章等が挙げられる。
【０１０３】
イメージパターン判定部４１１１は、画像ファイルに識別情報が含まれていると判定した場合、この識別情報とカード型無線通信装置４の操作が許可された正規ユーザの識別情報（以下、照合情報という）とを比較し、両情報が一致するか否かを判定する。なお、照合情報は、カード型無線通信装置４が備える記憶部１１等の記憶媒体に予め保存されているものとする。
【０１０４】
設定変更部４１１２は、イメージパターン判定部４１１１の判定結果に基づき、照合情報との一致が確認された識別情報を含む画像ファイルのうち、カード型無線通信装置４の設定変更を指示するものと判定されたイメージパターンを設定指示情報とし、このイメージパターンで指示された設定内容に基づいて、記憶部１１に記憶されたカード型無線通信装置４の設定情報を変更する。
【０１０５】
以下、図１３を参照して、カード型無線通信装置４の設定変更に係る動作について説明する。ここで、図１３は、認識部４１１の動作の手順を示すフローチャートである。
【０１０６】
まず、イメージパターン判定部４１１１は、ホストＩ／Ｆ部１３から書き込み完了の指示が入力されるまで待機を行う（ステップＳ４１；Ｎｏ）。ここで、書き込み完了の指示を受け付けと（ステップＳ４１；Ｙｅｓ）、イメージパターン判定部４１１１は記憶部１１に新たに書き込まれたデータファイルのファイル種別を判別し、このデータファイルが画像ファイルであるか否かを判定する（ステップＳ４２）。
【０１０７】
ステップＳ４２において、画像ファイル以外と判定した場合（ステップＳ４２；Ｎｏ）、イメージパターン判定部４１１１はステップＳ４１の処理に再び戻る。また、ステップＳ４２において、新たに書き込まれたデータファイルが画像ファイルと判定した場合（ステップＳ４２；Ｙｅｓ）、イメージパターン判定部４１１１は、この画像ファイルが表す画像を認識（解析）する（ステップＳ４３）。
【０１０８】
次いで、イメージパターン判定部４１１１は、ステップＳ４３の処理結果に基づき、画像ファイルに識別情報が含まれるか否かを判定する（ステップＳ４４）。ここで、識別情報が含まれないと判定した場合（ステップＳ４４；Ｎｏ）、イメージパターン判定部４１１１はステップＳ４１に再び戻る。
【０１０９】
一方、ステップＳ４４において、画像ファイルに識別情報が含まれると判定した場合（ステップＳ４４；Ｙｅｓ）、イメージパターン判定部４１１１は、この識別情報と照合情報とを比較し（ステップＳ４５）、両情報が一致するか否かを判定する（ステップＳ４６）。ここで、イメージパターン判定部４１１１は、識別情報と照合情報との不一致を確認した場合（ステップＳ４６；Ｎｏ）、ステップＳ４１の処理に再び戻る。
【０１１０】
また、ステップＳ４６において、識別情報と照合情報とが一致すると判定した場合（ステップＳ４６；Ｙｅｓ）、イメージパターン判定部４１１１は、ステップＳ４３の処理結果に基づき、画像ファイルにカード型無線通信装置４の設定変更を指示する所定のイメージパターンが含まれているか否かを判定する（ステップＳ４７）。ここで、カード型無線通信装置４の設定内容を指示する所定のイメージパターンが確認されない場合（ステップＳ４７；Ｎｏ）、イメージパターン判定部４１１１はステップＳ４１の処理に再び戻る。
【０１１１】
一方、ステップＳ４７において、イメージパターン判定部４１１１によりカード型無線通信装置４の設定内容を指示する所定のイメージパターンが確認された場合（ステップＳ４７；Ｙｅｓ）、設定変更部４１１２は、このイメージパターンを設定指示情報とし、当該イメージパターンに指示された設定内容に基づいて、記憶部１１に記憶された設定情報を変更し（ステップＳ４８）、ステップＳ４１に再び戻る。
【０１１２】
以上のように、本実施形態によれば、カード型無線通信装置４の設定変更を、当該カード型無線通信装置４の操作が許可された正規のユーザにのみ制限することができるため、カード型無線通信装置４の設定変更に係るセキュリティを向上させることができる。
【０１１３】
なお、本実施形態では、画像ファイルに含まれた識別情報に基づき、カード型無線通信装置の設定変更の可否を制御する形態としたが、上述した第２の実施形態のように音声ファイルを用いて設定変更を指示するカード型無線通信装置２に適用することも可能である。
【０１１４】
具体的に、ホスト装置５（録音装置５２）を操作するユーザは、録音装置５２に接続されたカード型無線通信装置の設定変更に際し、識別情報として予め定められたキーワードを所望する設定内容とともに発話し、この発話内容を録音する。このようにして生成される音声ファイルには、識別情報と設定内容とが音声パターンとして含まれるため、この識別情報と照合情報とを比較することで、カード型無線通信装置の操作が許可された正規のユーザか否かを判別することが可能となる。また、認識部２１１が音声ファイルから声紋を抽出する機能を有する場合には、音声ファイルから抽出した声紋と、照合情報として記憶しておいた正規ユーザの声紋とを比較することで、カード型無線通信装置２の操作が許可された正規のユーザか否かを判別することが可能である。
【０１１５】
また、上述した第３の実施形態のように、テキストファイルを用いて設定変更を指示するカード型無線通信装置３の場合においても、識別情報として予め定められたキーワードをテキストファイルに含めることで、本実施形態と同様の効果を奏することができる。
【０１１６】
具体的に、ホスト装置５（文字入力装置５３）を操作するユーザは、文字入力装置５３に接続されたカード型無線通信装置の設定変更に際し、識別情報として予め定められたキーワードを所望する設定内容とともにテキスト入力する。このようにして生成されるテキストファイルには、識別情報と設定内容とが文字列として含まれるため、この識別情報と照合情報とを比較することで、カード型無線通信装置の操作が許可された正規のユーザか否かを判別することが可能となる。
【０１１７】
以上、発明の実施の形態について説明したが、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【０１１８】
例えば、上記実施形態では、データファイルのファイル種別として、画像ファイル、音声ファイル及びテキストファイルの夫々を用いて設定変更することが可能なカード型無線通信装置を説明したが、上述した認識部１４３、２１１及び３１１の機能を組み合わせて備えることで、複数のファイル種別に対応可能な形態としてもよい。
【産業上の利用可能性】
【０１１９】
以上のように、本発明にかかる電子装置及び電子装置の設定方法は、ホスト装置に接続される電子装置に有用であり、特に、この電子装置の設定変更をホスト装置に接続した状態で行うのに適している。
【符号の説明】
【０１２０】
１  カード型無線通信装置
１１  記憶部
１２  無線通信部
１２１  アンテナ
１３  ホストＩ／Ｆ部
１４  制御部
１４１  記憶制御部
１４２  排他制御部
１４３  認識部
１４３１  イメージパターン判定部
１４３２  設定変更部
１４４  接続管理部
２  カード型無線通信装置
２１  制御部
２１１  認識部
２１１１  音声パターン判定部
２１１２  設定変更部
３  カード型無線通信装置
３１  制御部
３１１  認識部
３１１１  文字列判定部
３１１２  設定変更部
４  カード型無線通信装置
４１  制御部
４１１  認識部
４１１１  イメージパターン判定部
４１１２  設定変更部
５  ホスト装置
５１  撮像装置
５１１  光学ユニット
５１２  駆動部
５１３  撮像部
５１４  画像処理部
５１５  制御部
５１６  ビデオエンコーダ
５１７  表示部
５１８  操作入力部
５１９  デバイス接続Ｉ／Ｆ部
５２  録音装置
５２１  マイクロフォン
５２２  Ａ／Ｄ変換部
５２３  信号処理部
５２４  制御部
５２５  デバイス接続Ｉ／Ｆ部
５２６  表示部
５２７  操作入力部
５２８  Ｄ／Ａ変換部
５２９  スピーカ
５３  文字入力装置
５３１  制御部
５３２  表示部
５３３  操作入力部
５３４  エディタ部
５３５  デバイス接続Ｉ／Ｆ部
【図１】
2010252047.tif 000003
【図２】
2010252047.tif 000004
【図３】
2010252047.tif 000005
【図４】
2010252047.tif 000006
【図５】
2010252047.tif 000007
【図６】
2010252047.tif 000008
【図７】
2010252047.tif 000009
【図８】
2010252047.tif 000010
【図９】
2010252047.tif 000011
【図１０】
2010252047.tif 000012
【図１１】
2010252047.tif 000013
【図１２】
2010252047.tif 000014
【図１３】
2010252047.tif 000015